(57)【要約】【課題】ラインマーカーの先端のように転写具における転写部を傾斜させる際、転写部だけを傾斜させると、転写テープの幅方向両端のテンションが相違して搬送不良を生じる点を改善する。【解決手段】本発明のペン型転写具１は、基材に塗膜が塗布された転写テープを送り出す送出軸部３と、この送出軸部３から送り出された転写テープを被転写体に転写するための転写部４と、この転写部４により転写テープから塗膜が被転写体に転写された後の基材を巻き取る巻取軸部５と、を筐体２に有し、さらに、筐体２と接続した軸状の把持部６を備え、少なくとも該把持部６の軸Ａから離間した送出軸部３の軸Ｐ１と転写部４の転写部位Ｔとが平行とされた状態で、これらを一体的に該把持部６の軸Ａに対して１０°〜３０°傾斜させることとした。【選択図】図１
2018051939.tif 000002
【特許請求の範囲】
【請求項１】
基材に塗膜が塗布された転写テープを送り出す送出軸部と、この送出軸部から送り出された転写テープを被転写体に転写するための転写部と、この転写部により転写テープから塗膜が被転写体に転写された後の基材を巻き取る巻取軸部と、を筐体に有し、さらに、前記筐体と接続した軸状の把持部を備え、少なくとも該把持部の軸から離間した前記巻取軸部又は前記送出軸部のいずれかの軸と前記転写部の転写部位とが平行とされた状態で、これらを一体的に該把持部の軸に対して１０°〜３０°傾斜させたことを特徴とするペン型転写具。
【請求項２】
送出軸部と巻取軸部のそれぞれの巻装コアを送出軸部と巻取軸部の各々の駆動部材を挟んで互いに相反するように配置したことを特徴とする請求項１記載のペン型転写具。
【請求項３】
把持部と筐体において、指を配置するための凹部を形成したことを特徴とする請求項１又は２記載のペン型転写具。
【発明の詳細な説明】
【技術分野】
【０００１】
本発明は、搬送不良を生じることなくラインマーカーのような使い心地を実現したペン型転写具に関するものである。
【背景技術】
【０００２】
ペン先がフェルトで構成された、例えば蛍光ペンに代表されるラインマーカーは、ペン先の径が途中から先端へ向けて尖って、その先端は水平ではなく、傾斜している。先端が水平であると、持った手の姿勢で横書きの文書をなぞろうとする際、大抵は、文字を少し水平になぞって移動した後、筆記者側へ斜めに移動して文字列からずれてなぞることとなる。
【０００３】
ところで、基材に塗膜が塗布された転写テープを送り出す送出軸部と、この送出軸部から送り出された転写テープを被転写体に転写するための転写部と、この転写部により転写テープから塗膜が被転写体に転写された後の基材を巻き取る巻取軸部と、を備えた転写具においても、上記ラインマーカーと同じような動作によって塗膜を被転写体に転写するため、転写部の先端形状をラインマーカーのようにすれば、該ラインマーカーの利点が得られて使い勝手の向上するはずである。
【０００４】
なお、厳密には、送出軸部から転写部までは基材上に転写媒体が塗布された「転写テープ」が送り出され、転写部から巻取軸部までは転写テープから転写媒体が被転写体に転写された「基材」が巻き取られるといったように、搬送経路の転写部を挟んで搬送主体が変わるが、以下、総称して「転写テープ」と記すこととする。
【０００５】
例えば、特許文献１には、上記構成の転写部を、その先端下面を紙面等に押圧させる使用状態に位置させたときに、平面視において、転写部の先端稜線が、転写テープの走行方向に対して傾斜するような形状とすることが記載されている。
【０００６】
しかしながら、特許文献１の構成では、転写部の先端部を傾斜させかつ断面に斜面を設けているものの、ラインマーカーと異なり、転写部の先端部を通過する転写テープは、転写部の先端部における傾斜の長い側と短い側とを比較すると、使用時に長い側の張力が短い側より高くなって基材が長い側へ（引っ張られてこの方向へ）斜行しようとする。この結果、転写テープの搬送安定性に欠け、転写部において幅方向に折れ曲がってしまうなどのトラブルが発生する。
【先行技術文献】
【特許文献】
【０００７】
【特許文献１】特開２００１−３１５４９２号公報
【発明の概要】
【発明が解決しようとする課題】
【０００８】
解決しようとする問題は、従来の転写具において、転写部の先端部だけを傾斜させた構成であると転写テープの搬送が不安定となり、使い勝手が悪化するという点である。
【課題を解決するための手段】
【０００９】
上記課題を解決するため、本発明のペン型転写具は、基材に塗膜が塗布された転写テープを送り出す送出軸部と、この送出軸部から送り出された転写テープを被転写体に転写するための転写部と、この転写部により転写テープから塗膜が被転写体に転写された後の基材を巻き取る巻取軸部と、を筐体に有し、さらに、前記筐体と接続した軸状の把持部を備え、少なくとも該把持部の軸から離間した前記巻取軸部又は前記送出軸部のいずれかの軸と前記転写部の転写部位とが平行とされた状態で、これらを一体的に該把持部の軸に対して１０°〜３０°傾斜させたことを特徴とする。
【発明の効果】
【００１０】
上記構成の本発明のペン型転写具は、ラインマーカーと同じように転写部が把持部の軸に対して傾斜しているが、特許文献１のように「転写部だけ」が傾斜しているわけではなく、転写部の転写部位と少なくとも巻取軸部又は巻取軸部のいずれかの軸とが平行な状態でこれらを一体的に該把持部の軸に対して１０°〜３０°傾斜させている。したがって、特許文献１のような転写テープの搬送不良が生じることなく、ラインマーカーのような使い勝手を実現することができる。
【図面の簡単な説明】
【００１１】
【図１】（ａ）〜（ｃ）は本発明のペン型転写具の概略構成を示す図である。
【図２】本発明のペン型転写具における凹部形成箇所を示す図である。
【発明を実施するための形態】
【００１２】
本発明のペン型転写具は、転写部だけ傾斜させる構成では基材の搬送不良を招く点を、少なくとも把持部の軸から離間した巻取軸部又は送出軸部のいずれかの軸と転写部の転写部位とが平行とされた状態で、これらを一体的に該把持部の軸に対して１０°〜３０°傾斜させたことで改善した。
【００１３】
すなわち、転写部「だけ」を傾斜させかつ断面に斜面を設けた構成であると、転写部の転写部位と、送出軸部又は巻取軸部の軸と、が平行でなくなり、その結果、送出軸部から転写部までの搬送経路、転転写部から巻取軸部までの搬送経路のいずれかで、転写部の傾斜に起因した、基材幅方向の両端で張力の差が生じて、基材の搬送不良が生じることとなる。
【００１４】
よって、本発明では、従来の転写部だけ傾斜させていた点を、把持部の軸から離間した巻取軸部又は送出軸部の軸と転写部の転写部位とが平行とされた状態で、これらを一体的に該把持部の軸に対して１０°〜３０°傾斜させるようにしている。
【００１５】
把持部の軸に対して１０°より小さい傾斜角度とすると、傾斜させていることのメリットがあまり見られず、つまり被転写体上を横書き文書を水平に転写して傾斜し始めるまでの転写距離の改善が見られず、一方、把持部の軸に対して３０°より大きい傾斜角度とすると、水平に転写させようとすると手首を不自然に曲げる必要があり、使いにくくなる。なお、最も好ましくは１５°〜２５°とすればよい。
【００１６】
本発明は、転写具をラインマーカーのように使えるよう、把持部を設けてペン型にしているが、少なくとも把持部の軸から離間した巻取軸部又は送出軸部のいずれかの軸と転写部の転写部位とが平行とされた状態で、これらを一体的に該把持部の軸に対して１０°〜３０°傾斜させた構成から把持部を省略すると、つまり、筐体を手で持って操作する形態であると、持つ位置が定まらず、操作がしにくくなる。
【００１７】
したがって、本発明は、把持部を設けることで、通常使うラインマーカーのような把持姿勢となり、把持部の軸から離間した巻取軸部又は送出軸部の軸と転写部の転写部位とが平行とされた状態で、これらを一体的に該把持部の軸に対して１０°〜３０°傾斜させるというラインマーカーと外観が異なる転写具であっても容易に使いこなすことができる。
【００１８】
また、本発明は、上記構成において、送出軸部と巻取軸部のそれぞれの巻装コアを送出軸部と巻取軸部の各々の駆動部材を挟んで互いに相反するように配置してもよい。
【００１９】
こうすることで、駆動部材の同一面側に送出軸部と巻取軸部が並ぶことがなくなり、よって送出軸部と巻取軸部の該駆動部材を挟んだ各々の隣接部位に、それぞれ巻取軸部と送出軸部が存在しない空間を得ることができ、この空間において使用時に手で把持する場所を形成することができるようになる。
【００２０】
また、本発明は、上記構成において、把持部と筐体において、指を配置するための凹部を形成しておくことで、把持部及び筐体において手（指）の配置位置が視認しやすくなると共に確実となり、この凹部に手指を配置して正しく把持したうえで、ペンで直線を描くようにすれば、横書き文書を水平な直線でしかも長く転写することができる。
【実施例】
【００２１】
以下、図１〜図２を参照して本発明のペン型転写具の具体的実施形態について説明する。なお、以下においては、発明の特徴となる構成を説明し、他については説明及び図示を省略している。
【００２２】
本発明のペン型転写具１は、筺体２に、基材に塗膜が塗布された転写テープを送り出す送出軸部３と、送出軸部３から送り出された転写テープを被転写体に転写するための転写部４と、転写部４により転写テープから塗膜が被転写体に転写された後の基材を巻き取る巻取軸部５とを備え、さらに、筐体２と接続した軸状の把持部６を備えている。
【００２３】
また、本発明のペン型転写具１は、該把持部６の軸から離間した本実施例では送出軸部３の軸Ｐ１と転写部４の転写部位Ｔとが平行とされた状態で、該転写部４と送出軸部３を一体的に該把持部６の軸Ａに対して１０°〜３０°（角度θ）傾斜させている。なお、本例では、角度θは２０°としている。
【００２４】
すなわち、ペン型転写具１は、従来の転写具と較べて、ペン型とするために把持部６を有すること、及び送出軸部３、巻取軸部５、及び転写部４の配置、並びに少なくとも送出軸部３の軸Ｐ１（又は巻取軸部５の軸Ｐ２）と転写部４の転写部位Ｔとが平行とされた状態で、該送出軸部３と転写部４を一体的に該把持部６の軸Ａに対して１０°〜３０°（角度θ）傾斜させるように筐体２と把持部６を接続した構成が大きな特徴である。
【００２５】
本実施例では、送出軸部３の軸Ｐ１が把持部６の軸Ａから離間した位置に配置され、巻取軸部５が把持部６の軸Ａに近い位置に配置されている。また、巻取軸部５の軸Ｐ２も送出軸部３の軸Ｐ１と共に転写部位Ｔと平行とされている。
【００２６】
ここで、本実施例では、送出軸部３から転写部４に至る搬送経路は直線状とされているが、把持部６の軸Ａから離間した送出軸部３の軸Ｐ１と転写部位Ｔとが平行であるならば「搬送経路」自体は、例えば転写部４から巻取軸部５に至る経路のように斜行していてもよい。
【００２７】
そして、筐体２は、本実施例では、上記送出軸部３と転写部４の配置関係のまま、これらを一体として、転写部位Ｔが把持部６の軸Ａに対して２０°傾斜させてこれらを収納した筐体２の該転写部４側を先端とした場合の後端側に、軸状の把持部４を接続している。
【００２８】
また、本実施例では、送出軸部３と巻取軸部５は、駆動部材となるギヤ３ｂ及びギヤ５ｂのギヤ面を挟んで互いに相反するように配置している。ペン型転写具１は、把持部６を有していることから、筆記具のような意匠とすれば、それだけラインマーカーの使用感に近づけることができる。よって、ペン型転写具１は、把持部６は一般的なラインマーカーの平均的な径とされている。
【００２９】
ところが、いくら把持部６を一般的なラインマーカーと同等の径としたところで、筐体２に関しては、適当量の長さの転写テープを巻装した送出軸部３と、巻取軸部５等を収納しているので、当然に把持部６の径より大きく径外方向へ張り出してしまうから、使用者はどこの位置を把持すればよいかが判りにくい。
【００３０】
もちろん、転写部４を被転写体に押し付けつつ全体を移動させて使用する転写具自体の操作手法は変わらないし、転写部４の位置に基づけば、例え送出軸部３と巻取軸部５がギヤ３ｂ及びギヤ５ｂのギヤ面の一方側に配置した（請求項１に対応する）構成であってもどう把持するのかがまったく判らないわけではないが、結果的に自然と把持できるようにすれば使い勝手が向上する。
【００３１】
そこで、本実施例では、上記のように送出軸部３と巻取軸部５は、駆動部材となるギヤ３ｂ及びギヤ５ｂのギヤ面を挟んで互いに相反するように配置した（請求項２に対応）のである。こうすることで、例えば本実施例では、ギヤ３ｂ及びギヤ５ｂの送出軸部３が位置する面と反対面に、右手で把持する場合の親指を配置するための空間が把持部６において形成でき、また、ギヤ３ｂ及びギヤ５ｂの巻取軸部５が位置する面と反対面に、右手で把持する場合の人差し指を配置するための空間が筐体２において形成できる。
【００３２】
このことから、送出軸部３と巻取軸部５は、ギヤ３ｂ及びギヤ５ｂを挟んで互い違いに相反するように配置する場合、転写部４に近い方（本実施例の場合は巻取軸部５）については把持部６の軸Ａの近くに、転写部４から遠い方（本実施例の場合は送出軸部３）については把持部６の軸Ａから遠くに、各々配置すると上記のような空間が把持部６と筐体２において形成できる。
【００３３】
さらに、本実施例のペン型転写具１は、把持部６及び筐体２において、図２のハッチングで示す箇所に指を配置するための凹部７，８を形成している。すなわち、例えば本実施例の場合は、把持部６においてギヤ３ｂ及びギヤ５ｂの送出軸部３が位置する面と反対面に、右手で把持する場合の親指を配置するための凹部８を形成し、また、筐体２においてギヤ３ｂ及びギヤ５ｂの巻取軸部５が位置する面と反対面に、右手で把持する場合の人差し指を配置するための凹部７を形成している。
【００３４】
凹部７，８を形成しておけば、ペン型転写具１を使用するために適切な把持状態となって、意識することなく、送出軸部３と転写部４を一体的に傾斜させてラインマーカーのような使い心地を得ることができる。
【００３５】
つまり、送出軸部３と巻取軸部５の配置状況がどうあれ、凹部７，８を形成することで、通常のラインマーカーの形状でもなく、通常の転写具の形状でもない本発明のペン型転写具１をどう把持するかを迷うことなく、適切に使用できるように手指を誘導することが可能となる。
【００３６】
なお、凹部７，８には、本実施例においては送出軸部３と巻取軸部５をギヤ３ｂ及びギヤ５ｂを挟んで互い違いに相反するように配置する場合で説明したが、例えば送出軸部３と巻取軸部５をギヤ３ｂ及びギヤ５ｂの同一面に配置した場合は、（右手の）親指を配置させようとする把持部６における適所に、（右手の）人差し指を配置させようとする筐体２における適所に形成すればよい。
【００３７】
ちなみに、送出軸部３と巻取軸部５をギヤ３ｂ及びギヤ５ｂを挟んで互い違いに相反するように配置する構成と、凹部７，８を形成した構成と、効果の重複はなく、前者は手指を配置する位置は視覚的に明示するものではないが結果的に自然と当該箇所を把持することを可能としており、一方、後者は手指を配置する位置を視覚的に明示すると共に例えば凹形状を指の形状として手指の把持姿勢も明示することで、意図する適正な把持姿勢を可能としている。
【００３８】
このように、本発明のペン型転写具１は、軸状の把持部６を備え、少なくとも該把持部６の軸から離間した送出軸部５の軸Ｐ１と転写部４の転写部位Ｔとが平行とされた状態で、これらを一体的に該把持部６の軸Ａに対して１０°〜３０°傾斜させるようにしているので、転写部位だけを傾斜させた構成と較べて、ラインマーカーのような使い心地を、使用開始から使用終了まで搬送不良が生じることなく維持することが可能となる。
【符号の説明】
【００３９】
１  ペン型転写具
２  筐体
３  送出軸部
３ａ  コア
３ｂ  ギヤ
４  転写部
５  巻取軸部
５ａ  コア
５ｂ  ギヤ
６  把持部
７  （筐体に形成した）凹部
８  （把持部に形成した）凹部
Ｔ  （転写部の）転写部位
Ｐ１  （送出軸部の）軸
Ｐ２  （巻取軸部の）軸
Ａ  （把持部の）軸
【図１】
2018051939.tif 000003
【図２】
2018051939.tif 000004